(57)【要約】【課題】長さ調節が可能な釣竿において、元上竿を元竿に収納する際の操作性が良好な釣竿を提供する。【解決手段】本発明の釣竿は、元上竿２を元竿１に対して伸長状態と収縮状態に保持する長さ調節機構１０を有する。元上竿２の外面には、長さ調節用の継合領域２ａが形成されており、元竿１の先端側内面には、元上竿２を元竿１に収納した際、継合領域２ａと継合して元上竿２の周方向の回転を防止する回転防止部１１が設けられている。また、元竿１の基端側には、元上竿２を元竿１に収納した状態で元上竿２の基端部を保持する保持部８ａと、保持部８ａに向けて元上竿２の基端部を案内する案内部８ｂが設けられており、回転防止部１１と案内部８ｂは、元上竿２の収納時に、まず、元上竿２の基端部が案内部８ｂに案内され始め、その後、元上竿２の継合領域２ａが回転防止部１１に継合するように設置されている。【選択図】図２
2009131200.tif 000002
【特許請求の範囲】
【請求項１】
元竿と、前記元竿に対して振り出し式に収納される元上竿とを備え、前記元上竿を元竿に対して伸長状態と収縮状態に保持する長さ調節機構を有する釣竿において、
前記元上竿の外面には、長さ調節用の継合領域が形成されており、
前記元竿の先端側内面には、前記元上竿を元竿に収納した際、前記継合領域と継合して元上竿の周方向の回転を防止する回転防止部が設けられ、
前記元竿の基端側には、前記元上竿を元竿に収納した状態で前記元上竿の基端部を保持する保持部と、前記保持部に向けて元上竿の基端部を案内する案内部が設けられており、
前記回転防止部と前記案内部は、元上竿の収納時に、まず、元上竿の基端部が前記案内部に案内され始め、その後、元上竿の継合領域が前記回転防止部に継合するように設置されていることを特徴とする釣竿。
【発明の詳細な説明】
【技術分野】
【０００１】
本発明は、実釣時において、長さ調節が可能な釣竿に関する。
【背景技術】
【０００２】
従来、魚釣りに用いられる釣竿の一つとして、複数の竿杆を備え、長さ調節が可能なものが知られている。このような長さ調節が可能な釣竿は、大径の竿杆（元竿）に対して、それよりも穂先側にある小径の竿杆（元上竿）を収納し、その収納状態が固定できるような構造となっている。例えば、特許文献１には、元竿の先端側内周面に第１挟圧部を形成すると共に、基端側内周面に第２挟圧部を形成し、この元竿に収納される元上竿の先端側の外周面に、周方向に沿って摩擦条面を形成した長さ調節可能な釣竿が開示されている。
【０００３】
このような構成では、実釣時において、全体の長さを短くしたい場合、前記元上竿を元竿に収納すると、前記第１挟圧部と第２挟圧部によって、元上竿が元竿内で収納、固定された状態となり、釣竿全体の長さを短くすることができる。また、元上竿に形成された摩擦条面は、周方向に沿って所定間隔で凸部を形成した構造となっており、これが摩擦条面で構成される第１挟圧部との間で摩擦力を生じさせることから、元上竿の回転を阻止して元竿と元上竿との間で相対姿勢の安定化が図れるようになっている。
【特許文献１】実開平３−１０８３６５号
【発明の開示】
【発明が解決しようとする課題】
【０００４】
通常、上記したような長さ調節が可能な釣竿は、元上竿を元竿に収納した状態で、第１挟圧部と第２挟圧部が、元先竿の外周面に圧接される構成となっており、最終的な収納状態で、元上竿は元竿に対して固定、保持される。
【０００５】
しかし、このような構成では、元上竿を元竿内に収納操作する際、元上竿がガタ付き易いため軸がずれ易く、また、周方向にも回転し易いため、元竿先側の内周面と元上竿の外周面とを嵌合させる際の操作性が悪いという問題がある。すなわち、元上竿がガタ付いたり周方向に回転すると、嵌合部分における摩擦条面（凹凸面など）を固定状態にする際の操作性が悪くなってしまう。
【０００６】
本発明は、上記した問題に基づいてなされたものであり、長さ調節が可能な釣竿において、元上竿を元竿に収納する際の操作性が良好な釣竿を提供することを目的とする。
【課題を解決するための手段】
【０００７】
上記した目的を達成するために、本発明に係る釣竿は、元竿と、前記元竿に対して振り出し式に収納される元上竿とを備え、前記元上竿を元竿に対して伸長状態と収縮状態に保持する長さ調節機構を有しており、前記元上竿の外面には、長さ調節用の継合領域が形成されており、前記元竿の先端側内面には、前記元上竿を元竿に収納した際、前記継合領域と継合して元上竿の周方向の回転を防止する回転防止部が設けられ、前記元竿の基端側には、前記元上竿を元竿に収納した状態で前記元上竿の基端部を保持する保持部と、前記保持部に向けて元上竿の基端部を案内する案内部が設けられており、前記回転防止部と前記案内部は、元上竿の収納時に、まず、元上竿の基端部が前記案内部に案内され始め、その後、元上竿の継合領域が前記回転防止部に継合するように設置されていることを特徴とする。
【０００８】
上記した構成の釣竿では、長さ調節機構によって、元上竿を元竿に対して収縮・伸長することで、全体として長さ調節が可能となる。元上竿を元竿に収納すると、元上竿の外面に形成された継合領域が元竿の先端側内面に設けられた回転防止部と継合し、かつ元上竿の基端部が元竿の基端側に設けられた保持部に保持され、収納状態が固定される。この収納動作に際し、まず、元上竿の基端部が元竿の基端側に設けられた案内部に案内され、その後、元上竿の継合領域が回転防止部に継合するため、元上竿の挿入操作時において元上竿がガタ付いたり、周方向に回転することはなく、安定した状態で収納操作が行える。
【発明の効果】
【０００９】
本発明によれば、元上竿と元竿との間で長さ調節が可能であり、元上竿を元竿に収納する際の操作性が良好な釣竿が得られる。
【発明を実施するための最良の形態】
【００１０】
以下、本発明に係る釣竿の実施形態について説明する。
図１から図３は、本発明に係る釣竿の一実施形態を示す図であり、図１（ａ）は、元上竿の伸長時における釣竿の全体構成を示す図、図１（ｂ）は、元上竿の収縮時における釣竿の全体構成を示す図、図２（ａ）は、元上竿を元竿に収納する際、元上竿の基端部がガイドされる状態を示す断面図、図２（ｂ）は、図２（ａ）の主要部の拡大図、図２（ｃ）は、図２（ｂ）のＡ−Ａ線に沿った断面図、図３（ａ）は、元上竿を元竿に収納する際、元上竿の基端部が保持された状態を示す断面図、図３（ｂ）は、図３（ａ）の主要部の拡大図、そして、図３（ｃ）は、図３（ｂ）のＢ−Ｂ線に沿った断面図である。
【００１１】
本実施形態の釣竿Ｒは、ルアーに適した中通し式の構成となっており、元竿１、第１中竿２、第２中竿３、及び穂先竿４の合計４本の竿節を備えている。これらの各竿節は振り出し式に構成されており、長さ調節は、図１（ｂ）に示すように、元竿１に対して第１中竿（以下、元上竿と称する）２を収納したり、伸長することで成される。なお、図示されていないリールから繰り出される釣糸は、元上竿２の側面に設けられた釣糸導入ガイド１２を介して竿管内に導入され、穂先竿４の先端に設けられたトップガイド１４から導出される。また、上記した釣竿Ｒを構成する各竿節は、例えば、強化繊維に合成樹脂を含浸させたプリプレグシートを管状にする公知の手法によって形成されている。
【００１２】
前記元竿１の外周には、その先端側にリールが装着されるリールシート５と、その後端側に位置するグリップ６が順次取着されており、元竿１を構成する竿管は外部に露出しない状態となっている。また、元竿１の基端部には、尻栓７が着脱自在に装着されている。
【００１３】
前記リールシート５は、ポリアミドやＡＢＳ樹脂などの合成樹脂によって筒状に形成されており、元竿１の外周面に取着されている。リールシート５には、リール脚を載置するリール脚載置部５ａ、リール脚を固定するための固定フード５ｂが形成されており、リール脚載置部５ａに載置されたリールは、固定フード５ｂと移動ナットとして構成される移動フード５ｃとの間で固定されるようになっている。なお、リールシート５の前方側の外周面には、移動フード５ｃが螺合されるように、雄ネジ部が形成されている。また、リールシート５のリール脚載置部５ａと反対側には、実釣時において指を掛けるようにトリガー５ｄが形成されている。
【００１４】
前記グリップ６は、握り心地が良好となるように、軟質な部材、例えばＥＶＡやウレタンなどの発泡材、合成ゴム、天然ゴムなどによって形成されている。
【００１５】
前記元竿１の後端外周には、グリップ６との間に硬質樹脂（例えば、ポリアミドやＡＢＳ樹脂等）によって形成された筒状体７ａが止着されており、元竿から突出する部分に雌ネジ部７ｂが形成されている。この雄ネジ部７ｂには、緩み止め用のＯリング７ｃを介在させて前記尻栓７が螺合されている。なお、尻栓７は、合成樹脂や金属によって形成されている。
【００１６】
前記元竿１の基端側には、元上竿２が収納された際、元上竿の基端領域を保持する保持部材８が設けられている。この保持部材８は、ポリアミド、ＡＢＳ樹脂、ポリウレタン等の合成樹脂によって形成され、収納された状態の元上竿２の基端側の外周面を圧着して保持する保持部８ａと、穂先側から保持部８ａに向けて次第に縮径するようにして元上竿２の基端部を案内する案内部８ｂが一体的に設けられている。このような保持部材８は、雄ネジ部８ｃを形成しておき、前記筒状体７ａに螺合するように尻栓７に一体的に設けておくことが可能である。
【００１７】
なお、前記保持部８ａ及び案内部８ｂが形成された保持部材８は、後述する長さ調節機構との関係で、軸方向の設置位置が特定されている。
【００１８】
前記元竿１の先端内面と元上竿２の外面には、元上竿２を元竿１に対して伸長状態と収縮状態に保持する長さ調節機構１０が設けられている。この長さ調節機構１０は、元上竿２の先端側外面に形成された継合領域２ａと、元上竿２を元竿１に収納した際、前記元上竿２の外面に形成された継合領域２ａと継合して元上竿２の周方向の回転を防止した状態で、元上竿２を固定、保持する回転防止部１１とを備えている。
【００１９】
この場合、回転防止部１１は、元竿１とは別体でリング状に形成されており、円筒部１１ａとフランジ部１１ｂとを備え、フランジ部１１ｂが元竿１の開口端面に当て付けられた状態で円筒部１１ａの外面が元竿１の先端内面に接着等によって取着される。回転防止部１１は、元上竿２が収納された際、継合領域２ａと継合して元上竿２の周方向の回転を防止する機能を備えており、好ましくは、元上竿２の表面硬度よりも軟質な素材によって形成されている。具体的には、前記元上竿２が、炭素繊維など、繊維強化樹脂（プリプレグシート）によって管状に成形されたものであれば、それよりも軟質な素材、例えば、ポリアミド、ＡＢＳ樹脂、ポリウレタン等の合成樹脂によって形成したり、合成ゴム、エラストマー等によって形成することが可能である。また、このような元上竿２の表面硬度よりも軟質な部分を、硬質な円筒部１１ａの内面に取着したものであっても良い。
【００２０】
また、前記円筒部１１ａの内面には、継合する元上竿２との関係で、周方向の摩擦力が高くなるように、回転を防止する手段として、例えば、周方向に沿って凸部１１ｃが連続的に形成されている。このような回転を防止する手段は、凸部１１ｃ以外にも、円筒部１１ａの内面を粗面化したり、エンボス加工すること等で形成しても良い。
【００２１】
また、前記元上竿２の外面に形成される継合領域２ａは、元上竿２を元竿１に収納した際に、回転防止部１１と継合する部分に膨出状に形成されている。このため、継合領域２ａは、例えば、元上竿２を、上記のように繊維強化樹脂によって管状に成形する際、所定の領域に補強シートを配置する等して、該当部分を肉厚状にすることで一体形成することが可能である。本実施形態では、肉厚状に形成した継合領域２ａに、周方向に所定間隔おいて軸長方向に延出する凹溝２ｃを形成しており、これにより、元上竿２を元竿１に収納した際に、図３（ｃ）に示すように、継合領域２ａの凹溝２ｃと前記回転防止部１１の内面に形成された凸部１１ｃが継合し、元上竿２は、元竿１に対して周方向に回転することが防止される。
【００２２】
ここで、前記保持部８ａ及び案内部８ｂが形成された保持部材８と、長さ調節機構１０の軸方向の設置関係について説明する。
【００２３】
前記元上竿２を、元竿１に収納する際、図２（ｂ）に示すように、まず、元上竿２の基端部（基端縁２ｄ）が案内部８ｂに案内され始め、基端部が軸方向に所定長さを有する保持部８ａに移行するまでは、前記元上竿２の継合領域２ａは、回転防止部１１に継合することはない。そして、元上竿２を更に収納した段階で、元上竿２の基端部（基端縁２ｄ）は、案内部８ｂから保持部８ａに移行し、保持部８ａによって外周面が圧着されて、元上竿２はガタ付いたり周方向に回転することが抑制された状態となる。このように元上竿２の基端部が保持部８ａに移行して元上竿２のガタ付きや回転が抑制された後、図３（ｂ）に示すように、元上竿２の継合領域２ａが回転防止部１１に継合するように位置決めが成される。
【００２４】
すなわち、元上竿２の収納操作時において、元上竿２の基端部が案内部８ｂに沿ってガイドされることでガタ付きや周方向の回転が次第に抑制され、その後、保持部８ａに保持されて周方向への回転が抑制された状態になってから、前記元上竿２の継合領域２ａが回転防止部１１に継合するように、前記保持部材８と、長さ調節機構１０は、軸方向で位置決め設置されている。
【００２５】
以上のように構成された釣竿によれば、長さ調節機構１０によって、元上竿２を元竿１に対して収縮・伸長することで、全体として長さ調節が可能となる。この場合、元上竿２を元竿１に収納すると、上記のように、まず、元上竿２の基端部が元竿１の基端側に設けられた案内部８ｂに案内されることから、挿入するに従い、ガタ付きや周方向の回転が次第に抑制されるようになる。そして、このような状態になって更に元上竿２の基端部が保持部８ａに保持された後、元上竿２の継合領域２ａが回転防止部１１に継合するため、元上竿２の挿入操作時において元上竿２がガタ付いたり、周方向に回転することはなく、安定した状態で収納操作が行える。
【００２６】
このように、元上竿２の収納時において、その後端部が元竿１に対してガイドされながら軸方向に移動し、ガタ付いたり周方向に回転することがなくなってから、回転防止部１１に形成された周方向の回転を防止する凸部１１ｃに対して継合領域２ａの凹溝２ｃの嵌め合わせがなされるため、収納操作を容易に行えるようになり、元上竿を元竿に収納する際の操作性が良好になる。
【００２７】
以上、本発明の実施形態について説明したが、本発明は、上記した実施形態の形状に限定されることはなく、種々変形することが可能である。
【００２８】
本発明に係る釣竿は、上記した中通し式以外にも、外ガイド式であっても良いし、渓流竿のようにリールを装着しない釣竿に適用しても良い。また、その竿節数についても適宜変更することが可能であり、長さ調節が成される部分となる元竿と元上竿との関係は、釣竿の中間節部分であっても良い。
【００２９】
また、上記した長さ調節機構１０は、回転防止部１１が継合領域２ａと継合して、周方向の回転が抑制された状態で固定される構成であれば、具体的な表面状態については適宜変形することが可能である。また、元上竿２に形成される継合領域２ａについては、管状体を成形した後に、別体として膨出部を取着する構成であっても良く、その形成される位置についても適宜変形することが可能である。
【００３０】
また、保持部材８については、元上竿２の収納操作時において、まず元上竿２の基端部を案内部８ｂで案内し、その後、元上竿２の軸を中心としたガタ付きや、周方向の回転が抑制された段階で、元上竿２の基端部を保持部８ａで保持できる構成であれば種々変形することが可能である。さらに、保持部材８は、上述した実施形態とは逆に、元上竿２の基端側の内面を保持するような構成であっても良い。このような保持部材の案内部は、基端側に移行するに連れて次第に拡径する円錘状に形成され、保持部は、元上竿２の内周面に圧着する円筒状（円柱状）に形成される。
【図面の簡単な説明】
【００３１】
【図１】本発明に係る釣竿の一実施形態を示す図であり、（ａ）は、元上竿の伸長時における釣竿の全体構成を示す図、（ｂ）は、元上竿の収縮時における釣竿の全体構成を示す図。
【図２】（ａ）は、元上竿を元竿に収納する際、元上竿の基端部がガイドされる状態を示す断面図、（ｂ）は、図（ａ）の主要部の拡大図、（ｃ）は、図（ｂ）のＡ−Ａ線に沿った断面図。
【図３】（ａ）は、元上竿を元竿に収納する際、元上竿の基端部が保持された状態を示す断面図、（ｂ）は、図（ａ）の主要部の拡大図、そして、（ｃ）は、図（ｂ）のＢ−Ｂ線に沿った断面図。
【符号の説明】
【００３２】
１  元竿
２  元上竿
２ａ  継合領域
８  保持部材
８ａ  保持部
８ｂ  案内部
１０  長さ調節機構
１１  回転防止部
Ｒ  釣竿
【図１】
2009131200.tif 000003
【図２】
2009131200.tif 000004
【図３】
2009131200.tif 000005